(57)【特許請求の範囲】
【請求項１】
画像読取装置で読み取った帳票の画像デ−タを遠隔地に送信し、受信側で受信した帳票画像を認識処理するリモートエントリシステムの画像送達確認方法において、
送信対象の帳票に通番を印刷して、該通番が印刷された帳票の画像を読み取り、該帳票画像データと前記通番のコードデータを遠隔地に存在する受信側に送信する第１のステップと、
前記第１のステップで送信した帳票画像デ−タと通番のコードデータとを送信側の画像読取装置の記憶部で記憶する第２のステップと、
受信側が、受信した通番のコードデータを送信側に送信する第３のステップと、
前記第２のステップで前記記憶部に記憶した通番と前記第３のステップで送られた通番とを送信側で比較する第４のステップと、
前記第４のステップの比較の結果、前記第２ステップで記憶した通番のうち前記第３ステップで送られた通番にない通番が存在したことに基づいて、その通番に対応する画像データを前記記憶部から取り出して受信側に再送信する第５ステップと、
を有することを特徴とするリモートエントリシステムの画像送達確認方法。
【請求項２】
送信側で画像データを取得して受信側に送信するリモートエントリシステムであって、
取得した画像データに送信側で通番を付す通番付加手段と、
前記通番付加手段で付した通番と画像データとを対応付けて送信側で記憶する記憶手段と、
前記通番付加手段で付した通番と画像データとを受信側に送信する送信手段と、
前記送信手段から送信された通番と画像データとを送信側から受信する受信手段と、
前記受信手段で受信した通番を受信側から送信側に返信する返信手段と、
前記返信手段で返信された通番と、前記記憶手段で記憶した通番とを送信側で比較する通番比較手段と、
前記通番比較手段での比較の結果、前記記憶手段で記憶した通番のうち前記返信手段で返信された通番にない通番が存在したことに基づいて、その通番に対応付けられた画像データを前記記憶手段から取り出して受信側に再送信する再送信手段と、
を有することを特徴とするリモートエントリシステム。
【発明の詳細な説明】
【０００１】
【発明の属する技術分野】
本発明は、帳票の画像を読み取り、帳票の通番を決定し、帳票画像の任意の位置に通番の画像を重ねあわせ、その帳票画像デ−タを遠隔地に送信し、受信側で受信した帳票画像を認識処理するリモートエントリシステムの画像送達確認方法に関する。
【０００２】
【従来の技術】
従来の技術としては、例えば特開平６−３１８９９８号公報に記載されているように、送信側において、送信時に一枚目の画像を記憶しておき、送信枚数をその一枚目の画像と一緒に通信管理レポートとして出力するものがある。
【０００３】
しかし、上記従来技術では、受信側からの情報による送達確認については言及されていない。また、未達の画像があった場合における再送信についても言及していない。
【０００４】
【発明が解決しようとする課題】
上記従来技術では、送信側における帳票の送達確認、及び未送達帳票の再送を行うためには、人手により送達確認オペレーションや再送処理を行わなければならなかった。
【０００５】
本発明の目的は、送信側の帳票の送達確認及び未送達帳票の再送を自動化することにより、送信側の負担軽減を図ることにある。
【０００６】
【課題を解決するための手段】
上記目的を達成するためには、次のようにすれば良い。
【０００７】
画像読取装置は、読み取った帳票画像と通番を送信する際、帳票の通番と帳票画像を記憶しておく。受信側システムは受信通番を記憶し、送信元に受信通番を通知するとともに認識処理を行う。
【０００８】
送信側の画像読取装置は、受信側より伝送された受信情報を送信情報と比較することにより送達確認を行い、未達の帳票があった場合は、未達帳票を記憶領域から取り出し再送信する。
【０００９】
【発明の実施の形態】
以下、添付の図面を用いて本発明の一実施の形態について詳細に説明する。
【００１０】
図１は、本発明のリモートエントリシステムの一実施の形態を示すブロック図である。図１において、画像読取装置１０は送信側、集中センタ４０は受信側であり、両者は通信回線を介して接続されている。ここで、集中センタ４０は、少なくとも１台の認識装置２０と少なくとも１台の修正端末３０とから構成されている。
【００１１】
画像読取装置１０は、イメージリーダ１１と通番付加機構１２と表示部１３と記憶装置１４とキーボード１７と通信装置１８と制御装置１９とから構成されている。ここで、通番付加機構１２は、制御装置１９により決定された帳票の通番を帳票に印字することにより、帳票に通番を付加するものである。イメージリーダ１１は、通番が付加された帳票イメージを読み込むためのものである。表示部１３は、例えばＣＲＴディスプレイや液晶式表示器であり、読み取った帳票画像を目視確認したり、送達管理を含む送受信情報、エラーや障害情報を必要に応じて表示させるためのものである。キーボード１７は、オペレータによってデータ送信や、送達情報検索を行うためのキー入力をおこなうためのものであり、タッチパネルや、専用入力キーであってもよい。通信装置１８は、帳票画像（通番の画像を含むイメージデータ）と通番（コードデータ）とを送信し、かつ集中センタ４０からの受信情報を受信するためのものである。記憶装置１４には、送信情報１５、画像データ１６及び送達情報１６ａの記憶エリアが設けられている。さらに、制御装置１９は、上記した各機器からのデータの取り出し、記憶及びこれらの機器の動作制御を司り、内部に格納されたプログラムに従って、上記の各機器の動作を制御するものである。
【００１２】
また、集中センタ４０内の認識装置２０は、通信装置２１と認識機構２２と制御装置２３と記憶装置２４とから構成されている。ここで、通信装置２１は、画像読取装置１０と通信を行うためのものであり、認識機構２２は画像読取装置から受信した帳票画像（イメージデータ）について、認識フィールドの切出し及び認識処理を行うものである。また、記憶装置２４には、受信情報２５、認識結果２６、確認結果２７の各記憶エリアが設けらている。そして、制御装置２３は、これらの機器の動作を制御する。
【００１３】
また、集中センタ４０内の修正端末３０は、帳票画像とその認識結果を認識装置２０から受け取って画面表示し、オペレータの入力によりデータの修正を行う端末である。
【００１４】
図２は、図１に示すシステムで使用する帳票の一例を示す図であり、本システムの通番付加機構１２において印字される通番を記入項目の上部に付加した例を示している。
【００１５】
図３は、図１に示す記憶装置１４の記憶エリアの詳細を示し、図４は図１に示す記憶装置２４の記憶エリアの詳細を示す。
【００１６】
図５は、図１に示すシステムの処理手順の一例を示すフローチャートであり、さらに詳しくは金融機関の為替帳票のリモートエントリシステムに適用した場合の処理手順を示すフローチャートである。
【００１７】
次に、図５に示すフローチャートに基づいて、図１に示すシステムの動作について説明する。まず、オペレータは、図２に示す帳票１を画像読取装置１０にセットする（ステップ１００）。次に、制御装置１９は通番を決定し（ステップ１０２）、通番付加機構１２は通番を帳票に印字し、イメージリーダ１１は帳票画像を読み取る（ステップ１０４）。完了キーが押下されるまでセットされた帳票の通番の決定、印字及び画像読み取りを繰り返す（ステップ１０６）。
【００１８】
オペレータが完了キーを押下すると、帳票画像（通番の画像を含む）データと通番のコードデータとが、通信装置１８を介して、集中センタ４０に送信される（ステップ１０８）。次に、画像読取装置１０から送信された帳票画像データと通番のコードデータは、画像読取装置１０の記憶装置１４内の送信情報エリア１５及び画像データエリア１６にそれぞれ記憶される（ステップ１１０）。
【００１９】
画像読取装置１０から集中センタ４０へ送信された帳票画像データと通番のコードデータは、認識装置２０の通信装置２１により受信され、受信した帳票画像の通番は記憶装置２４内の受信情報エリア２５に記憶され、受信した通番のコードデータは通信装置２１により画像読取装置１０に送達情報として伝送される（ステップ１２８）。
【００２０】
ここで、通番が既に記憶装置２４内の受信情報エリア２５にあった場合、すなわち受信通番に重複がある場合は、データは受信済みと判断されて破棄される（ステップ１３０，１３６）。受信通番に重複がない場合は、認識機構２２が受信した帳票画像から認識フィールド（記入項目部分）の切り出し及び文字認識を行う（ステップ１３２）。
【００２１】
認識処理が終わった帳票画像データは、記憶装置２４内の認識結果エリア２６（認識結果）に記憶された後（ステップ１３４）、修正端末３０により取り出され、修正端末３０のディスプレイに表示された画像データと認識結果をオペレータが目視で確認し、必要ならば修正オペレーションにより認識データの修正を行う。確認／修正された結果はコードデータとして認識装置２０に伝送され（ステップ１３８）、記憶装置２４の確認結果エリア２７に記憶され（ステップ１４０）、認識／確認処理が終了する（ステップ１４２）。
【００２２】
なお、認識装置２０から画像読取装置１０に伝送された受信通番のコードデータは、画像読取装置１０の制御装置１９により、記憶装置１４内の送信情報エリア１５に記憶されている送信通番と比較され（ステップ１２０）、一定の時間が経過した後（ステップ１２１）送達が確認されれば（送信通番と受信通番が一致）、送信が完了したと判断し（ステップ１２４）、記憶装置１４内の送達情報エリア１６ａの送達確認の項目を送達済みとする（ステップ１２６）。また、送信通番に対応する受信通番がない場合は記憶装置１４から通番と帳票画像を取り出し集中センタ４０に再送信を行う（ステップ１２２）。
【００２３】
【発明の効果】
以上に述べましたように、本発明によれば、リモートエントリシステムにおいて帳票画像データの送達確認及び未達帳票の再送信を自動化できるため、特に多数の帳票を処理するシステムでは多大な省力効果が期待できる。
【図面の簡単な説明】
【図１】図１は本発明のリモートエントリシステムの一実施の形態を示すブロック図。
【図２】図２は、図１に示すシステムで使用する帳票の一例を示す図。
【図３】図３は、図１に示す記憶装置１４の記憶エリアの詳細を示す図。
【図４】図４は図１に示す記憶装置２４の記憶エリアの詳細を示す図。
【図５】図５は、図１に示すシステムの処理手順の一例を示すフローチャートであり、さらに詳しくは金融機関の為替帳票のリモートエントリシステムに適用した場合の処理手順を示すフローチャート。
【符号の説明】
１０：画像読取装置、１１：イメージリーダ、１２：通番付加機構、１３：表示部、１４：記憶装置、１５：送信情報、１６：画像データ、１６ａ：送達情報、１７：キーボード、１８：通信装置、１９：制御装置、２０：認識装置、２１：通信装置、２２：認識装置、２３：制御装置、２４：記憶装置、２５：受信情報、２６：認識結果、２７：確認結果、３０：修正端末。
【図１】
0003550615.tif 000002
【図２】
0003550615.tif 000003
【図３】
0003550615.tif 000004
【図４】
0003550615.tif 000005
【図５】
0003550615.tif 000006